(57)【要約】      （修正有）【課題】灯油タンクの汲出口にさまざまな電動灯油ポンプを安定的に固定可能であり、吐出口と電動灯油ポンプの吸入ノズルの間を隙間無く密閉して匂いの漏れや異物の入り込みを防止することができる携帯小型ポンプの装着具を提供する。【解決手段】第一の蓋体片１ａと第二の蓋体片１ｂからなる蓋体を開閉自在に連結する枢結軸からなる連結手段と、蓋体を閉状態に保持可能なトグルラッチ３ａからなる保持手段とを備え、さらに蓋体には携帯小型ポンプの吸入ノズルを挟持可能な挟持部４と、吸入ノズルとの隙間を埋めるシール手段５とを備えた。【選択図】図１
0003194091.tif 000002
【実用新案登録請求の範囲】
【請求項１】
少なくとも第一の蓋体片と第二の蓋体片からなる蓋体と、
該第一の蓋体片と該第二の蓋体片を開閉自在に連結する連結手段と、
該第一の蓋体片と該第二の蓋体片を閉状態に保持可能な保持手段とを備え、
さらに該第一の蓋体片と該第二の蓋体片には携帯小型ポンプの吸入ノズルを挟持可能な挟持部が設けられ、
かつ、該挟持部と該吸入ノズルの隙間を埋め得るシール手段が備えられている
ことを特徴とする、携帯小型ポンプの装着具。
【請求項２】
前記連結手段は枢結軸であることを特徴とする、
請求項１に記載の携帯小型ポンプの装着具。
【請求項３】
前記連結手段はリビングヒンジである
ことを特徴とする、請求項１に記載の携帯小型ポンプの装着具
【請求項４】
前記保持手段はトグルラッチである
ことを特徴とする、請求項１乃至請求項３のいずれか一の請求項に記載の携帯小型ポンプの装着具。
【請求項５】
前記保持手段はケーブルタイである
ことを特徴とする、請求項１乃至請求項３のいずれか一の請求項に記載の携帯小型ポンプの装着具。
【請求項６】
前記蓋体と一体に取り付け可能とされた、又は、前記蓋体に前記携帯小型ポンプと共に取り付け可能とされた枝状部材と、
該枝状部材に取り付けられた筒状体を備え、
該筒状体には該携帯小型ポンプの吐出ノズルを挿納可能とされている
ことを特徴とする、請求項１乃至請求項５のいずれか一の請求項に記載の携帯小型ポンプの装着具。
【考案の詳細な説明】
【技術分野】
【０００１】
本考案は、液体物の貯蔵タンクから液体を汲みだす際に用いるポンプを貯蔵タンク口に装着するために用いられる装着具に関するものである。より詳しくは、灯油タンクから灯油を汲みだしたり、ポリタンクから水を汲みだす際に使用される一般的な携帯小型ポンプをタンク口に装着し、もって携帯小型ポンプの使用者が該ポンプを手で支えたりすること無く灯油や水の汲出し作業を行なうことを可能とする装着具に関するものである。
【背景技術】
【０００２】
一般家庭や、あるいは産業用途であっても取り扱い量が少ない場合には、液体物の貯蔵タンクから液体を汲みだすために携帯可能な小型ポンプが広く利用されている。これは、典型的にはＪＩＳ  Ｓ  ２０３７に定められる石油燃焼機器用注油ポンプのようなものであり、一般的にはしばしば灯油ポンプと呼ばれているものである。
このような携帯小型ポンプはもともとはサイフォンにスポイトを備えた手動ポンプとして一般に使用されるようになったものであるが、近年では電池やモータを備えた電動の携帯小型ポンプが多く発表され、少ない労力で貯蔵タンクから液体を汲みだすことができる手軽な機器として広く利用されるようになっている。
【０００３】
以下、典型的な事例として灯油を取り扱う場合について説明する。灯油タンクから灯油を汲みだしてストーブやそのカートリッジに灯油を移す作業は、灯油タンクの蓋を外して汲出口に携帯小型ポンプの吸入ノズルを差し入れ、かつ、吐出ノズルをストーブやそのカートリッジの注ぎ口に差し入れた上で行うが、この際には、通常片手でノズルを支え、もう一方の手で携帯小型ポンプのスイッチの操作を行なうことが多い。ノズルが不安定な状態では、ノズルが抜けて灯油がこぼれてしまう事故を招きかねない。また、多くの携帯小型ポンプでは、うっかりと過剰に灯油を汲みだして溢れてしまう事態を避けるためにスイッチを押し続けなければ灯油の汲みだしを行わないように設定されているからである。これでは、作業を両手がふさがった状態で完了しなければならないために作業者の負荷が大きい。また、灯油タンクに残る灯油残量が少ない場合に灯油タンクを傾けて灯油をすべて汲みあげることはしばしば発生する作業であるが、両手がふさがっている状態はこのような日常的な作業を困難とする。
【０００４】
また、特開平１０−２２９２公開特許公報に開示された電動灯油ポンプのように、灯油タンクに吸入ノズルを差し込むと、電動灯油ポンプの備える弾性片が灯油タンクに係合して自立・安定するように工夫された例もある。しかし、作業中に灯油タンクの汲出口と電動灯油ポンプの吸入ノズルの隙間から匂いが漏れたり異物が入り込む可能性がある。また、都度灯油タンクの蓋を開閉したり、電動灯油ポンプを持ち運んだりすることも面倒であり、このような作業は灯油をこぼしてしまう事故の原因にもなるなど安全上の観点からも好ましくない。
【０００５】
従って、さまざまな携帯小型ポンプを灯油タンクに安定的に装着し、これを手で支持することなく灯油を汲みだすことが可能となり、かつ、携帯小型ポンプを灯油タンクに装着したままとしても匂いがもれたり異物が入り込むこともないようにできることが好ましい。
【先行技術文献】
【特許文献】
【０００６】
【特許文献１】特開平１０−２２９２号公報
【考案の概要】
【考案が解決しようとする課題】
【０００７】
本考案は、以上説明した課題を解決するために成されたものである。すなわち、灯油タンクの汲出口にさまざまな携帯小型ポンプを安定的に固定可能であり、該汲出口と携帯小型ポンプの吸入ノズルの間を隙間無く密閉して匂いの漏れや異物の入り込みを防止することができる、携帯小型ポンプの装着具を提供することが本考案が解決しようとする課題である。
【課題を解決するための手段】
【０００８】
（１）上記説明した課題を解決するため、本考案においては、
少なくとも第一の蓋体片と第二の蓋体片からなる蓋体と、
該第一の蓋体片と該第二の蓋体片を開閉自在に連結する連結手段と、
該第一の蓋体片と該第二の蓋体片を閉状態に保持可能な保持手段とを備え、
さらに該第一の蓋体片と該第二の蓋体片には携帯小型ポンプの吸入ノズルを挟持可能な挟持部が設けられ、
かつ、該挟持部と該吸入ノズルの隙間を埋め得るシール手段が備えられている
ことを特徴とする、携帯小型ポンプの装着具としている。
【０００９】
第一の蓋体片と第二の蓋体片を開閉自在に連結した蓋体とし、かつ、これらに携帯小型ポンプの吸入ノズルを挟持可能な挟持部を設けたので、蓋体を開いた状態で携帯小型ポンプの吸入ノズルを挟持部に挟み込むことができる。また、第一の蓋体片と第二の蓋体片を閉じた状態に保持可能な保持手段を備えているので、この状態で蓋体を閉じることで携帯小型ポンプの吸入ノズルを締め付けて蓋体を強固に固定することができる。この状態で蓋体を灯油タンクの汲出口に取り付けると、灯油タンクに携帯小型ポンプを安定して自立・固定することができる。これによって、灯油ポンプを手で支持することなく灯油の汲出し作業を行なうことができるようになる。
【００１０】
また、挟持部と吸入ノズルの隙間を埋め得るシール手段を備えたので、灯油タンクと吸入ノズルの隙間から匂いがもれることが無くなるとともに、異物が灯油タンク内に進入する懸念も解消する。これにより、灯油タンクの汲出口の蓋を都度開閉するのではなく、ここに携帯小型ポンプを取り付けたまま灯油がなくなるまで使い続けることも可能になる。これにより、作業者の労力はさらに軽減される。
【００１１】
（２）上記説明した課題を解決するため、本考案においては、
前記連結手段は枢結軸である
ことを特徴とする、（１）に記載の携帯小型ポンプの装着具とすることが好ましい。
【００１２】
第一の蓋体片と第二の蓋体片を枢結軸によって回動自在に枢結することとしたので、非常に丈夫で耐久性の高い携帯小型ポンプの装着具とすることができる。ここで枢結軸による連結手段とは、第一の蓋体片と第二の蓋体片のそれぞれに設けた穴に丸棒を貫通させて回転自在に固定しても良いし、あるいは、独立した部品（蝶番）を取り付けることによって実現しても良い。
【００１３】
（３）上記説明した課題を解決するため、本考案においては、
前記連結手段はリビングヒンジである
ことを特徴とする、（１）に記載の携帯小型ポンプの装着具とすることが好ましい。
【００１４】
第一の蓋体片と第二の蓋体片をリビングヒンジによって開閉自在に連結することとしたので、軽量かつ安価な携帯小型ポンプの装着具とすることができる。ここでリビングヒンジとは、第一の蓋体片と第二の蓋体片の間を薄い樹脂の帯でつなぎ、この部分が破損せずに折り曲げられるようにされていることを意図している。リビングヒンジは第一の蓋体片や第二の蓋体片と一体に樹脂の射出成型によって製造されても良いし、リビングヒンジを作りこんだ独立した部品を取り付けることによって実現しても良い。
【００１５】
（４）上記説明した課題を解決するため、本考案においては、
前記保持手段はトグルラッチである
ことを特徴とする、（１）乃至（３）のいずれか一に記載の携帯小型ポンプの装着具とすることが好ましい。
【００１６】
保持手段をトグルラッチとしたので、弱い力であっても非常に強力な力で蓋体を閉じることができる。これにより、例えば女性のように手指の力が弱い作業者であっても、携帯小型ポンプの吸入ノズルを強力な力で保持・固定することができるので、灯油タンクに強固に安定して携帯小型ポンプを装着できるという利点がある。なお、ここにトグルラッチとは、パッチン錠などとも称呼されることのある部品であり、一対の部品の一方にレバーが備えられ、このレバーに取り付けられたリングを他方に引っ掛けた上でレバーを倒すと、リングが他方を強く引っ張り固定する構造となっているもので、小さい力で操作しても非常に強い力で引っ張り固定することができるものである。また、トグルラッチは容易に固定を解除することもできるため、携帯小型灯油ポンプが故障した場合にこれを交換することも容易である。
【００１７】
（５）上記説明した課題を解決するため、本考案においては、
前記保持手段はケーブルタイである
ことを特徴とする、（１）乃至（３）のいずれか一に記載の携帯小型ポンプの装着具とすることが好ましい。
【００１８】
保持手段をケーブルタイとしたので、非常に軽量・安価な携帯小型灯油ポンプの装着具が得られるという利点がある。ここにケーブルタイとは、歯状の模様が刻まれたバンドの端をロック用部品に通して使用するもので、一度ロック用部品を通した部分のバンドは逆には戻らないというものである。タイラップ（アーベーベー・アセア・ブラウン・ボベェリ・リミテッド社の登録商標）、インシュロック（ヘラマンタイトン株式会社の登録商標）などとも呼ばれて一般に大量に流通しており、非常に安価に入手可能である。
【００１９】
また、第一の蓋体片と第二の蓋体片の一方にケーブルタイのバンド構造を、他方にロック用部品構造を作りこむことができることは言うまでもないが、蓋体に一般に市販されるケーブルタイを取り付けやすくするための溝構造や穴構造のみを設けることもできる。一般に市販される、バンドの一端にロック用部品を作りこんだ標準のケーブルタイを、蓋体の溝構造に沿わせたり、穴構造を通したりして、これによって蓋体を閉じた状態に容易に保持できるようにすることで、ケーブルタイを切断して蓋体を開いた後に、新しいケーブルタイによって蓋体を閉じることが可能となり、より経済的な使用が可能となる。
【００２０】
（６）上記説明した課題を解決するため、本考案においては、
前記蓋体と一体に取り付け可能とされた、又は、前記蓋体に前記携帯小型ポンプと共に取り付け可能とされた枝状部材と、
該枝状部材に取り付けられた筒状体を備え、
該筒状体には該携帯小型ポンプの吐出ノズルを挿納可能とされている
ことを特徴とする、（１）乃至（５）のいずれか一に記載の携帯小型ポンプの装着具とすることが好ましい。
【００２１】
筒状体を備えた枝状部材を設けたので、装着した携帯小型ポンプの吐出ノズルを筒状体に差し入れることが可能となり、携帯小型ポンプを灯油タンクに装着したままで、安全に灯油がなくなるまで使用を継続することが出来る。灯油タンクの汲出口は、灯油タンクの上面で、平面上では外周面よりも内側に設けられることが通常であるので、枝状部材の長さは汲出口と外周面の距離よりも長くされていることが必要である。
【考案の効果】
【００２２】
（１）第一の蓋体片と第二の蓋体片を開閉自在に連結した蓋体に携帯小型ポンプの吸入ノズルを挟持し、保持手段によってこの状態を固定することができるので、灯油タンクの汲出口に携帯小型ポンプを自立・固定することができ、これによって、灯油ポンプを手で支持することなく灯油の汲出し作業を行なうことができるようになる。また、挟持部と吸入ノズルの隙間を埋め得るシール手段を備えたので、灯油タンクと吸入ノズルの隙間から匂いがもれることが無くなるとともに、異物が灯油タンク内に入り込む懸念も解消する。これにより、灯油タンクの汲出口の蓋を都度開閉するのではなく、ここに携帯小型ポンプを取り付けたまま灯油がなくなるまで使い続けることも可能になる。
【００２３】
（２）第一の蓋体片と第二の蓋体片を枢結軸によって回動自在に枢結することとしたので、非常に丈夫で耐久性の高い携帯小型ポンプの装着具とすることができる。。
【００２４】
（３）第一の蓋体片と第二の蓋体片をリビングヒンジによって開閉自在に連結することとしたので、軽量かつ安価な携帯小型ポンプの装着具とすることができる。。
【００２５】
（４）保持手段をトグルラッチとしたので、弱い力であっても非常に強力な力で蓋体を閉じることができる。これにより、例えば女性のように手指の力が弱い作業者であっても、携帯小型灯油ポンプの吸入ノズルを強力な力で保持・固定することができるので、灯油タンクに強固に安定して携帯小型灯油ポンプを装着できる。
【００２６】
（５）保持手段をケーブルタイとしたので、非常に軽量・安価な携帯小型灯油ポンプの装着具が得られるという利点がある。
【００２７】
（６）筒状体を備えた枝状部材を設けたので、装着した携帯小型ポンプの吐出ノズルを筒状体に差し入れることが可能となり、灯油タンクに携帯小型ポンプを取り付けたまま使い続けることが益々容易になる。
【図面の簡単な説明】
【００２８】
【図１】本考案の一実施形態を示した斜視図である。
【図２】本考案の一実施形態を示した説明図である。
【図３】本考案の使用形態を示した説明図である。
【考案を実施するための形態】
【００２９】
以下、本考案に係る携帯小型ポンプの装着具の実施例について図面を用いて説明する。
【実施例１】
【００３０】
図１は、本考案に係る携帯小型ポンプの装着具の一実施形態を示した説明図である。携帯小型ポンプの装着具（８）は、第一の蓋体片（１ａ）と第二の蓋体片（１ｂ）が背面側であるために図に表れない連結手段で開閉自在に連結されることを主要な構造としている。連結手段は、蝶番を取り付けることによって実現しているが、これについては実施例２において補足説明されるのでここでは説明を省略する。
【００３１】
また、第一の蓋体片（１ａ）と第二の蓋体片（１ｂ）には、それぞれ半円状の切り欠きが設けられておりこれが挟持部（４）である。第一の蓋体片（１ａ）と第二の蓋体片（１ｂ）が閉じた際には、挟持部（４）がほぼ円形の穴となり、この部分に挿入されている携帯小型ポンプの吸入ノズルを挟持可能とされている。また、第一の蓋体片（１ａ）と第二の蓋体片（１ｂ）の上部にはシール手段（５）が設けられている。シール手段は、ジエンゴムやシリコーンゴムのような弾性に富む材料で作られており、第一の蓋体片（１ａ）と第二の蓋体片（１ｂ）が閉じた際に挟持部（４）と携帯小型ポンプの吸入ノズルの間を隙間無く埋める役割をする。これによって、灯油タンクからの匂いの漏れや灯油タンクへの異物の進入を防ぐことができる。なお、より良好な弾性を担保するため、発泡ジエンゴムや発泡シリコーンゴムを使用することもできる。
【００３２】
第一の蓋体片（１ａ）と第二の蓋体片（１ｂ）の連結手段の逆側の端部には、トグルラッチ（３ａ）を設けている。トグルラッチは、対になる部品の一方の備えるリングを他方の部品の爪状部に引っ掛けてレバーを倒すことで対になる部品同士を強力に固定することができるものである。比較的弱い力できわめて強い固定をすることができるので、手指で作業する携帯小型ポンプへの携帯小型ポンプの装着具の取り付けには都合が良い。特に、女性のように力があまり強くない作業者の作業時の負担が軽減する。
【００３３】
上記の構成の携帯小型ポンプの装着具は、第一の蓋体片（１ａ）と第二の蓋体片（１ｂ）を閉じて携帯小型ポンプを固定した後は、通常の蓋と同じように灯油タンクの螺子式の汲出口に取り付けることが可能である。このようにすると、携帯小型ポンプは灯油タンクに自立した状態で強固に固定されており、携帯小型ポンプを手で支持することなく灯油の汲出し作業を行なうことができる。また、灯油タンクの汲出口は携帯小型ポンプの装着具で蓋がされており、携帯小型ポンプの装着具と携帯小型ポンプの装着具の吸入ノズルの間も隙間無くシール手段（５）で埋められているため、灯油タンクからの匂いの漏れや異物の進入の懸念も無く、灯油タ・塔Nに携帯小型ポンプを装着したまま灯油がなくなるまで使い続けることも可能である。このように本考案によって作業者の負荷は大きく軽減される。
【実施例２】
【００３４】
図２を用いて、本考案の別の実施例について説明する。図２（Ａ）と図２（Ｂ）は、それぞれ本考案の一実施例を示す平面図である。符号のほとんどは実施例１の場合と共通であるので、共通の符号についての説明は省略する。
【００３５】
図２（Ａ）は、実施例１とほぼ同じ構成であるが、第一の蓋体片（１ａ）や第二の蓋体片（１ｂ）に、これを蓋として使用する際の開閉時の手がかりとして外周に凸部が設けられている点が異なる。このような使い勝手上の工夫は、一般に灯油タンクの蓋に対して行なわれている試みを適宜取り入れればよい。なお、図２（Ａ）には、第一の蓋体片（１ａ）や第二の蓋体片（１ｂ）を連結する連結手段として、枢結軸（２ａ）を備えている。これは、第一の蓋体片（１ａ）や第二の蓋体片（１ｂ）に枢結軸を挿入可能な穴を備えた突起を設けるなどさまざまな手段で実現できるが、この実施例ではいわゆる蝶番を取り付けることで実現した。枢結軸を備える回動手段は非常に耐久性に優れている。
【００３６】
また、図２（Ａ）の保持手段にはトグルラッチ（３ａ）を採用している。トグルラッチは弱い力でも強力な固定を実現するだけでなく、非常に優れた耐久性をも兼備えている。この為、保持手段にトグルラッチ（３ａ）、連結手段に枢結軸（２ａ）すなわち蝶番を採用した本実施例に係る携帯小型ポンプの装着具は、繰り返し長期の使用に耐えることができる。
【００３７】
一方、図２（Ｂ）では連結手段にリビングヒンジ（２ｂ）を使用している。リビングヒンジは樹脂製のバンドの一部に厚みを例えば０．３ｍｍ乃至０．４ｍｍ程度に薄くした部分を設けてこの部分で破損せずに折り曲げることを可能としており、軽量・安価であることが特徴である。また、保持手段にはケーブルタイ（３ｂ）を使用している。この実施例では、図から明らかなとおり第一の蓋体片（１ａ）及び第二の蓋体片（１ｂ）にケーブルタイを通すことができる穴を備えており、この穴にケーブルタイを通して締め付けることで第一の蓋体片（１ａ）及び第二の蓋体片（１ｂ）を閉じた状態で保持することができる。この構造では市場に流通している汎用のケーブルタイを使用できるため、きわめて安価に機能実現を図れるという・・_がある。なお、保持手段はこれに限らず、ケーブルタイのバンド構造を一方の蓋体片に作りこみ、ケーブルタイのロック用部品を他方の蓋体片に作りこむことも可能である。
【００３８】
リビングヒンジの耐久性は枢結軸を備えた兆番と比較すると見劣りするし、ケーブルタイは基本的には一度使用すると切断しなければ解除できないものであり、反復使用が可能なトグルラッチとは大きく異なる。ただし、すでに説明したとおり、安価に実現できる点が利点である。従って、本実施例は一度携帯小型ポンプを取り付けた後は、これをほとんどはずすことなくこのまま利用する場合や使い捨てにする場合に適する。
【実施例３】
【００３９】
図３は、本考案の別の実施例を示す説明図である。本考案に係る携帯小型ポンプの装着具（８）は、すでに説明したとおりのものであり、説明を省略する。
【００４０】
本実施例では、携帯小型ポンプの装着具（８）に枝状部材（６）とこれにつながる筒状体（７）を備えたことが特徴である。枝状部材（６）は、短冊状の樹脂板をＬ字型に折り曲げたような構造であり、携帯小型ポンプの装着具（８）を図示しない灯油タンクに取り付けた際に同時に灯油タンクに固定される。枝状部材（６）につながる筒状態（７）は、底のある略円筒形の部品である。
【００４１】
さて、携帯小型ポンプ（１３）は、典型的には駆動スイッチ（１０）を備える携帯小型ポンプ本体（９）と、吸入ノズル（１１）と、吐出ノズル（１２）を備えるが、携帯小型ポンプの装着具（８）は図に示すとおり吸入ノズル（１２）に固定され、さらにこれが灯油タンクの汲出口に取り付けられるる。このとき、吐出ノズル（１２）はそのままでは支持が無く不安定であり、また、内部に付着していた灯油が垂れ落ちるような不都合が発生するが、筒状態（７）にこれを挿納することでこのような不都合が解消する。つまり、携帯小型ポンプを灯油タンクに取り付けたままで使用を続ける際の利便性を高めることができるのである。
【産業上の利用可能性】
【００４２】
以上説明したとおり、本考案に係る携帯小型ポンプの装着具は、灯油タンクの汲出口にさまざまな電動灯油ポンプを安定的に固定しかつ、該汲出口と電動灯油ポンプの吸入ノズルの間を隙間無く密閉して匂いの漏れや異物の入り込みを防止することを実現する価値の高いものであり、産業上の利用価値は極めて高い。なお、説明を簡単にするために主に灯油タンクから灯油を汲み出す場合について説明してきたが、本考案に係る携帯小型ポンプの装着具はこれに限らず任意の貯蔵タンクから任意の液体を汲み出すため場合についても適用可能であることは言うまでもないことである。
【符号の説明】
【００４３】
１        蓋体
１ａ      第一の蓋体片
１ｂ      第二の蓋体片
２        連結手段
２ａ      枢結軸
２ｂ      リビングヒンジ
３        保持手段
３ａ      トグルラッチ
３ｂ      ケーブルタイ
４        挟持部
５        シール手段
６        枝状部材
７        筒状体
８        携帯小型ポンプの装着具
９        携帯小型ポンプ本体
１０      駆動スイッチ
１１      吸入ノズル
１２      吐出ノズル
１３      携帯小型ポンプ
【図１】
0003194091.tif 000003
【図２】
0003194091.tif 000004
【図３】
0003194091.tif 000005